(57)【特許請求の範囲】
【請求項１】
溶媒として下式で示されるアネトールを含有することを特徴とする電解コンデンサの駆動用電解液。
【化１】
0004919434.tif 000005
【請求項２】
前記アネトールの含有量が５．０〜６０．０重量％であることを特徴とする請求項１に記載の電解コンデンサの駆動用電解液。
【請求項３】
溶媒として下式で示されるアネトールを含有する電解液が用いられていることを特徴とする電解コンデンサ。
【化２】
0004919434.tif 000006
【発明の詳細な説明】
【技術分野】
【０００１】
この発明は電解コンデンサに関するものであり、特に長期にわたる高温寿命特性が安定で、かつ、低温特性も良好な電解コンデンサに関するものである。
【背景技術】
【０００２】
電解コンデンサとは、アルミニウム、タンタル、ニオブ等の弁作用金属と呼ばれる金属を電極に使用し、陽極酸化して得られる酸化皮膜を誘電体として利用するコンデンサのことである。
【０００３】
アルミニウム電解コンデンサは、一般には図１、２に示すような構造からなるエッチング処理および酸化皮膜形成処理をした陽極箔１と、エッチング処理した陰極箔２とをセパレータ３を介して巻回してコンデンサ素子６を形成し、該コンデンサ素子を電解液に含浸した後、有底筒状の外装ケース８に収納してなる。
外装ケース８の開口部に封口体９を装着し、絞り加工により封止する。外装ケース８にコンデンサ素子６を固定する素子固定材１７を有していてもよい。
封口体９の外端面には陽極端子１３および陰極端子１４が構成され、これらの端子１３、１４の下端部には各々、陽極内部端子１５および陰極内部端子１６として、コンデンサ素子６から引き出された陽極タブ端子１１および陰極タブ端子１２が電気的に接続されている。
ここで、陽極タブ端子１１については、化成処理が施されたものが使用されるが、陰極タブ端子１２については、化成処理が施されていないものが使用される。いずれのタブ端子１１、１２も、表面加工の施されていないアルミニウム箔が用いられている。
【０００４】
電解コンデンサ駆動用電解液には、高温長寿命特性を要求される電解液の溶媒としてエチレングリコールが知られ、低温特性を要求される電解液の溶媒としてγ−ブチロラクトンが知られている。これらを適当な比率で混合した溶媒に、溶質として環状アミジン化合物のイミダゾリニウムカチオンやイミダゾリウムカチオンを、カチオン成分とし、酸の共役塩基をアニオン成分とした塩を溶解させて使用する（例えば下記の特許文献１参照）。
また、下記の特許文献２には、γ−ブチロラクトンを含む有機溶媒にフタル酸および／またはマレイン酸のアルキル置換アミジン基を有する化合物の塩を電解質として溶解してなる電解液が開示されている。
【０００５】
【特許文献１】特開平８−３２１４４０号公報
【特許文献２】特開平８−３２１４４１号公報
【発明の開示】
【発明が解決しようとする課題】
【０００６】
しかしながら、電子部品の小形化、薄形化により電解コンデンサには小形化対応が求められ、一方では、温度変化への対応、高温下での長期信頼性が求められているが、前記の電解コンデンサ用電解液では、高温信頼性に対応できず、また、車載分野において低温特性も満足できていない。
【０００７】
本発明は、前記の現状を鑑みてなされたものであり、高温信頼性が良好で低温特性も良好な電解コンデンサおよびこの電解コンデンサの駆動用電解液を提供することを目的とする。
【課題を解決するための手段】
【０００８】
上記課題を解決するために、本発明の電解コンデンサ駆動用電解液は、溶媒として下式で示されるアネトール（トランス−１−メトキシ−４−（プロパ−１−エン−１−イル）ベンゼン）を含有することを特徴とする。
【０００９】
【化１】
0004919434.tif 000002
【００１０】
この構成によれば、電解液に溶媒としてアネトールを使用したことにより、電解コンデンサの高温寿命特性において、静電容量変化およびｔａｎδの変化が抑制されるとともに、低温での比抵抗の上昇も抑制することができる。したがって長期的に高温寿命特性が安定で、更に、低温特性も良好な電解コンデンサを提供できる。
【００１１】
本発明に用いる電解コンデンサ駆動用電解液は、アネトールを電解液全体の５．０〜６０．０重量％とするのが好適である。
【発明の効果】
【００１２】
本発明によれば、電解液に溶媒としてアネトールを使用したことにより、高温印加試験において静電容量およびｔａｎδの変化が抑制され、長期的に電気特性が安定し、さらに低温特性も良好な電解コンデンサを提供することができる。
【発明を実施するための最良の形態】
【００１３】
本発明でアネトールに混合される他の溶媒は、アルコール類、エーテル類、アミド類、オキサゾリジノン類、ラクトン類、ニトリル類、カーボネート類、スルホン類からなる群より選ばれる１種以上が挙げられる。溶媒の具体例は以下のとおりであり、２種以上併用することもできる。
【００１４】
アルコール類として、メチルアルコール、エチルアルコール、プロピルアルコール、ブチルアルコール、ジアセトンアルコール、ベンジルアルコール、アミルアルコール、フルフリルアルコール、エチレングリコール、プロピレングリコール、ジエチレングリコール、ヘキシレングリコール、グリセリン、ヘキシトール等が挙げられる。
【００１５】
エーテル類として、エチレングリコールモノメチルエーテル、エチレングリコールモノエチルエーテル、ジエチレングリコールモノメチルエーテル、ジエチレングリコールモノエチルエーテル、エチレングリコールフェニルエーテル、テトラヒドロフラン、３−メチルテトラヒドロフラン、エチレングリコールジメチルエーテル、エチレングリコールジエチルエーテル、ジエチレングリコールジメチルエーテル、ジエチレングリコールジエチルエーテル等が挙げられる。
【００１６】
また、高分子量体としてポリエチレングリコールやポリプロピレングリコール等のポリアルキレングリコールおよびその共重合体（以下、ポリアルキレングリコール）等が挙げられる。
【００１７】
アミド類として、Ｎ−メチルホルムアミド、Ｎ，Ｎ−ジメチルホルムアミド、Ｎ−エチルホルムアミド、Ｎ，Ｎ−ジエチルホルムアミド、Ｎ−メチルアセトアミド、Ｎ，Ｎ−ジメチルアセトアミド、Ｎ−エチルアセトアミド、Ｎ，Ｎ−ジエチルアセトアミド、ヘキサメチルホスホリックアミド等が挙げられる。
【００１８】
オキサゾリジノン類として、Ｎ−メチル−２−オキサゾリジノン、３，５−ジメチル−２−オキサゾリジノン等が挙げられる。
【００１９】
ラクトン類として、γ−ブチロラクトン、α−アセチル−γ−ブチロラクトン、β−ブチロラクトン、γ−バレロラクトン、δ−バレロラクトン等が挙げられる。
【００２０】
ニトリル類として、アセトニトリル、アクリロニトリル、アジポニトリル、３−メトキシプロピオニトリル等が挙げられる。
【００２１】
カーボネート類として、エチレンカーボネート、プロピレンカーボネート等が挙げられる。
【００２２】
スルホン類として、ジメチルスルホン、エチルメチルスルホン、ジエチルスルホン、スルホラン、３−メチルスルホラン、２，４−ジメチルスルホラン等が挙げられる。
【００２３】
その他の溶媒として、水、Ｎ−メチル−２−ピロリドン、ジメチルスルホオキシド、１，３−ジメチル−２−イミダゾリジノン、トルエン、キシレン、パラフィン類等が挙げられる。
【００２４】
本発明に用いられる電解液は必要により、種々の添加剤を含有してもよい。
添加剤を加える目的は多岐にわたるが、例えば、熱安定性の向上、水和などの電極劣化の抑制、耐電圧の向上、ガス発生の抑制、ハロゲン化物に対する耐性の付与等が挙げられる。
添加剤の含有量は特に制限はないが、０．０１〜２０．０ｗｔ％の範囲であることが好ましく、さらに好ましくは０．０１〜１０．０ｗｔ％の範囲である。
【００２５】
そのような添加剤の例として、ｐ−ニトロフェノール、ｍ−ニトロアセトフェノン、ｐ−ニトロ安息香酸、ｐ−ニトロベンジルアルコール、ｐ−ニトロクレゾール、ｐ−ニトロトルエン等のニトロ化合物、オルトリン酸、亜リン酸、次亜リン酸、ピロリン酸、ポリリン酸、リン酸メチル、リン酸エチル、リン酸ブチル、リン酸イソプロピル、リン酸ジブチル、リン酸ジオクチル等のリン酸化合物、ホウ酸およびその錯化合物等のホウ酸化合物、マンニトール、ソルビトール、キシリトール、ペンタエリスリトール、ポリビニルアルコール等の多価アルコール類、コロイダルシリカ、アルミノシリケート、シリコーン化合物（例えば、反応性シリコーンであるヒドロキシ変性シリコーン、アミノ変性シリコーン、カルボキシル変性シリコーン、アルコール変性シリコーン、エポキシ変性シリコーン等）やシランカップリング剤（例えば、３−グリシドキシプロピルトリメトキシシラン、ビニルトリメトキシシラン、エチルトリエトキシシラン等）等のケイ素化合物が挙げられる。
【００２６】
本発明に用いられる電解液の有機カルボン酸の例として、フタル酸、アジピン酸、ピメリン酸、スベリン酸、アゼライン酸、セバシン酸、ウンデカン酸、安息香酸、２−メチルアゼライン酸、１，６−デカンジカルボン酸、５，６−デカンジカルボン酸、２−ブチルオクタン二酸、７−ビニルヘキサデン−１，１６−ジカルボン酸等を例示することができる。また、より顕著な効果を得るために、２種またはそれ以上の有機カルボン酸を使用しても良い。
【００２７】
また、前述の有機カルボン酸の塩としては、アンモニウム塩、メチルアミン、エチルアミン、ｔ−ブチルアミン等の一級アミン塩、ジメチルアミン、エチルメチルアミン、ジエチルアミン等の二級アミン塩、トリメチルアミン、ジエチルメチルアミン、エチルジメチルアミン、トリエチルアミン等の三級アミン塩、テトラメチルアンモニウム、トリエチルメチルアンモニウム、テトラエチルアンモニウム等の四級アンモニウム塩、イミダゾール単環化合物、２-イミダゾリン環を有する化合物、テトラヒドロピリミジン環を有する化合物、１，３−ジメチルイミダゾリニウム、１，２，３−トリメチルイミダゾリニウム、１，２，３，４−テトラメチルイミダゾリニウム等の環状アミジン化合物の四級塩を例示することができる。
【実施例】
【００２８】
ここで、実施例、比較例の電解液組成は表１のとおりとした。
［実施例１−１〜１−７］アネトールの配合量検討
・溶質：フタル酸水素１−エチル−２，３−ジメチルイミダゾリニウム  ２０ｗｔ％
・溶媒：アネトール            ３．０〜７０．０ｗｔ％
γ−ブチロラクトン  １０．０〜７７．０ｗｔ％
上記組成にてアネトールの混合量を変更し、３０℃および−４０℃における比抵抗を測定した。
（比較例１）
上記アネトールを使用せず、溶媒として、γ−ブチロラクトン６０．０ｗｔ％、エチレングリコール２０．０ｗｔ％を混合したものを使用し、溶質は上記実施例と同様にして３０℃および−４０℃における比抵抗を測定した。
【００２９】
[実施例２−１〜２−７] アネトールの配合量検討
溶質として、マレイン酸水素１，２，３，４−テトラメチルイミダゾリニウム２０ｗｔ％を使用した以外は、上記実施例と同様にして、３０℃および−４０℃における比抵抗を測定した。
（比較例２）
上記アネトールを使用せず、溶媒として、γ−ブチロラクトン６０．０ｗｔ％、エチレングリコール２０．０ｗｔ％を混合したものを使用し、溶質は上記実施例と同様にして３０℃および−４０℃における比抵抗を測定した。
【００３０】
上記の実施例１−１〜１−７、２−１〜２−７、比較例１、２について、３０℃および−４０℃における比抵抗を測定した結果を表１に示す。
【００３１】
【表１】
0004919434.tif 000003
【００３２】
表１から明らかなように、本発明の実施例は、比較例と比べて、−４０℃における比抵抗が低減されており、アネトールによる改善効果が現れている。その中でも、アネトールを６０．０ｗｔ％以下とした実施例１−１〜１−６、２−１〜２−６が好適である。
【００３３】
次に、上記の実施例１−１〜１−７、２−１〜２−７、比較例１、２の電解液を使用して、定格電圧６．３Ｖ、静電容量１０００μＦ（ケースサイズφ１０×１２．５ｍｍＬ）のコンデンサを作製し、１２５℃にて１０００時間の定格電圧６．３Ｖを印加する、高温負荷試験を行った。その結果を表２に示す。
【００３４】
【表２】
0004919434.tif 000004
【００３５】
表２から分かるように、本発明のアネトールを配合した実施例は、比較例と比べて、静電容量変化、ｔａｎδ変化が抑えられており、アネトールによる改善効果が現れている。その中でも、アネトールを５．０ｗｔ％以上とした実施例１−２〜１−７、２−２〜２−７が好適である。
【００３６】
以上より、アネトールの配合量は５．０〜６０．０ｗｔ％とした場合に、低温特性、高温信頼性がより改善される。
【００３７】
なお、本発明は、上記実施例に限定されるものではなく、上記の溶媒、溶質を単独または複数使用した場合、および上述のその他の添加剤を混合した場合にも、同様の低温特性、高温信頼性改善効果が得られた。
【図面の簡単な説明】
【００３８】
【図１】アルミニウム電解コンデンサ素子の分解斜視図である。
【図２】アルミニウム電解コンデンサの要部切断正面図である。
【符号の説明】
【００３９】
１  陽極箔
２  陰極箔
３  セパレータ
６  コンデンサ素子
８  外装ケース
９  封口体
１０  加締め
１１  陽極タブ端子
１２  陰極タブ端子
１３  陽極端子
１４  陰極端子
１５  陽極内部端子
１６  陰極内部端子
１７  素子固定剤
【図１】
0004919434.tif 000007
【図２】
0004919434.tif 000008